(57)【特許請求の範囲】
【請求項１】
ボックス本体の開口部に蓋体を開閉回動可能に装着したコンソールボックスにおいて、
前記蓋体の開閉回動に対して摩擦による摺動抵抗を付与するための抵抗付与手段を設け、
前記抵抗付与手段は、蓋体側に設けられた一対の溝と、蓋体の開閉にともない両端において前記両溝内を移動するようにボックス本体側に設けられたロッドとを備え、
前記溝は、蓋体側に取付けられた一対の板材にそれぞれ形成され、ロッドは、ボックス本体側に回動可能に支持された一対のアーム間に架設され、
前記溝の幅をロッドの外形寸法よりも狭くすることにより、蓋体の開閉回動に摺動抵抗が付与されるように構成したコンソールボックス。
【請求項２】
前記溝の両端にはロッドの外形寸法よりも広い部分を形成した請求項１に記載のコンソールボックス。
【請求項３】
前記板材を耐磨耗性合成樹脂により形成するとともに、ロッドを金属製とした請求項１に記載のコンソールボックス。
【発明の詳細な説明】
【０００１】
【発明の属する技術分野】
この発明は、自動車の室内に装備されるコンソールボックスに関するものである。
【０００２】
【従来の技術】
この種のコンソールボックスおいては、一般にボックス本体の開口部に、蓋体がヒンジを介して開閉回動可能に装着されている。そして、蓋体を開放状態に保持できるように構成したものがある。従来、そのための構成は、ヒンジの軸に巻きばねを支持して、その巻きばねが蓋体に対して開放方向へのばね力を付与するようにしていた。
【０００３】
【発明が解決しようとする課題】
従って、この従来構成において蓋体は、閉鎖位置と、巻きばねにより開放されてストッパにより保持される完全開放との２位置でしか保持されず、開放途中の中間位置に停止保持することはできない。このため、場合によっては、開放状態の蓋体が邪魔になるというような問題を生じるおそれがあった。
【０００４】
また、巻きばねの伸縮動作を円滑にするために、その巻きばねは、前記軸上にスリーブを介して装着されるのが通常である。このため、スリーブの他に、スリーブを定位置に保持するするための止めリングやスペーサ、あるいは、巻きばねの端部を止着するためのばね止め等が必要になり、部品点数が増加して構成が複雑になる問題があった。
【０００５】
さらに、蓋体をはじめとして、各部品は、蓋体に対してばね力を作用させ、それを維持した状態で組み付けられるため、その組付けに手間がかかるものであった。
【０００６】
この発明は、このような従来の技術に存在する問題点に着目してなされたものである。その目的とするところは、蓋体の装着構成が簡単で部品点数を削減することができて、その組み付けを容易に行うことができ、しかも、蓋体を閉鎖状態と完全開放状態との途中の開放状態で保持することができるコンソールボックスを提供することにある。
【０００７】
【課題を解決するための手段及び発明の効果】
上記の目的を達成するために、請求項１に記載の発明では、蓋体の開閉回動に対して摩擦による摺動抵抗を付与するための抵抗付与手段を設け、前記抵抗付与手段は、蓋体側に設けられた一対の溝と、蓋体の開閉にともない両端において前記両溝内を移動するようにボックス本体側に設けられたロッドとを備え、前記溝は、蓋体側に取付けられた一対の板材にそれぞれ形成され、ロッドは、ボックス本体側に回動可能に支持された一対のアーム間に架設され、前記溝の幅をロッドの外形寸法よりも狭くすることにより、蓋体の開閉回動に摺動抵抗が付与されるように構成したものである。
【０００８】
従って、蓋体側とボックス本体側との間に、摺動部分を設ければよいだけであるから、巻きばねを備えた従来構成に比較して、蓋体の装着構成が簡単で部品点数を削減することができる。また、ばね力を利かせた状態で組付け行う必要がないため、その組み付けを容易に行うことができる。また、蓋体の開閉回動に抵抗が付与されているため、蓋体を閉鎖状態と完全開放状態との途中の開放状態で保持することができる。
【０００９】
請求項２に記載の発明では、請求項１に記載のコンソールボックスにおいて、前記溝の両端にはロッドの外形寸法よりも広い部分を形成したものである。
【００１０】
このため、蓋体が閉鎖位置及び開放位置に位置した場合、ロッドが溝の広い部分に移動されることにより、操作者に対してクリック感を与えることができ、開閉状態を感触で容易に確認できる。
請求項３に記載の発明では、請求項１に記載のコンソールボックスにおいて、前記板材を耐磨耗性合成樹脂により形成するとともに、ロッドを金属製としたものである。
【００１１】
従って、溝を有する板材を容易に製造できるとともに、蓋体の開閉回動に所定の抵抗を適切に付与することができる。
【００１６】
【発明の実施の形態】
以下に、この発明の一実施形態を、図面に基づいて詳細に説明する。
図１に示すように、コンソールボックスは、ほぼ全体が合成樹脂により構成されている。コンソールボックスのボックス本体１１は合成樹脂により二重周壁構造のほぼ箱型に形成され、その上面には開口部１２が形成されている。ボックス本体１１の一側内部には金属板製のステー１３が配設され、そのステー１３上にはボックス本体１１の開口部１２を開閉するための蓋体１４が、ヒンジ機構１５を介して開閉回動可能に装着されている。
【００１７】
前記蓋体１４の内面にはトレイ１８が蓋体１４に対して開閉回動可能に取り付けられている。そして、このトレイ１８は図示しないマグネットチャック等の保持手段により、蓋体１４の内面に沿った閉鎖状態に保持され、トレイ１８はその閉鎖状態において蓋体１４とともに開閉回動される。また、このトレイ１８の閉鎖状態で、蓋体１４全体が掛止爪１６と掛止部（図示しない）との係合により、開口部１２の閉鎖位置に掛止保持されるようになっている。
【００１８】
図１及び図２に示すように、前記ヒンジ機構１５は、金属板製の固定ヒンジ板１９と、同じく金属板製の可動ヒンジ板２０と、両ヒンジ板１９，２０を回動可能に連結するヒンジ軸２１とから構成されている。固定ヒンジ板１９及び可動ヒンジ板２０の中央部には、複数のボルト挿通孔１９ａ，２０ａがそれぞれ形成されている。そして、固定ヒンジ板１９のボルト挿通孔１９ａからステー１３にボルト２２が挿通されてナット２３で締め付けられることにより、固定ヒンジ板１９がステー１３に取り付けられている。また、可動ヒンジ板２０のボルト挿通孔２０ａから蓋体１４に図示しないボルトが螺合されることにより、可動ヒンジ板２０が蓋体１４に固定されている。
【００１９】
前記ボックス本体１１と蓋体１４との間には、蓋体１４の開閉回動に摩擦抵抗を付与するための抵抗付与手段としての抵抗付与機構２４が配設されている。すなわち、固定ヒンジ板１９の両側板部間には移動部材としての金属製のロッド２５が一対の回動アーム２６を介して回動可能に支持されている。内蓋１７内にはジュラコン等の耐磨耗性の合成樹脂よりなる摺動ダンパ２７が、複数のボルト挿通孔２７ａ及び蓋体１４のボルト挿通孔を通ってナット（ともに図示しない）に螺合したボルト（図示しない）により取り付けられている。
【００２０】
前記摺動ダンパ２７の一対の板材としての両側板部にはロッド２５の両端を摺動可能に挿通するための一対の摺動溝２８が上下方向に延長形成されている。各摺動溝２８の上下両端部にはロッド２５の外径より若干大径の規制部２８ａ，２８ｂが形成され、中間部にはロッド２５の外径よりも細幅の抵抗付与部２８ｃが形成されている。
【００２１】
そして、図１に示すように、蓋体１４が閉鎖回動されたときには、ロッド２５が摺動溝２８の上端規制部２８ａに位置して、蓋体１４が閉鎖位置に規制保持される。また、図３に示すように、蓋体１４が開放回動されたときには、ロッド２５が摺動溝２８の下端規制部２８ｂに位置して、蓋体１４が完全開放位置に規制保持される。さらに、図４に示すように、蓋体１４の開放途中においては、ロッド２５が摺動溝２８の抵抗付与部２８ｃに係合されることにより、ロッド２５に対して摩擦による摺動抵抗が付与されるようになっている。そして、抵抗付与部２８ｃがロッド２５の外径よりも狭く、上端規制部２８ａ及び下端規制部２８ｂがロッド２５の外径よりも広くなっているため、蓋体１４が閉鎖されたとき、及び完全開放されたときには、開閉操作者に対してクリック感が与えられる。このため、開閉操作者は、感触で閉鎖状態及び開放状態を確認することができる。
【００２２】
次に、前記のように構成されたコンソールボックスの動作を説明する。
さて、図１に示す状態では、蓋体１４がボックス本体１１の開口部１２を閉鎖する位置に回動配置されている。この状態では、抵抗付与機構２４のロッド２５が摺動ダンパ２７の摺動溝２８の上端規制部２８ａに位置して、蓋体１４が閉鎖位置に規制保持されている。また、掛止爪１６と図示しない掛止部との係合により、蓋体１４が閉鎖位置に掛止保持されている。
【００２３】
この状態から、掛止爪１６と掛止部との係合を解除した後、蓋体１４を時計方向に開放回動させると、図４に示すように、抵抗付与機構２４のロッド２５が回動アーム２６を介して回動されて、摺動溝２８の抵抗付与部２８ｃに沿って下方に相対移動される。このとき、摺動溝２８の抵抗付与部２８ｃがロッド２５の外径よりも細幅となるように形成されているため、ロッド２５に摩擦による摺動抵抗が作用して、蓋体１４の開放回動に対して抵抗が付与される。よって、蓋体１４の開放途中で開放回動を停止すれば、蓋体１４はその開放途中の状態に保持される。
【００２４】
また、蓋体１４を開放途中の状態からさらに開放回動させると、図３に示すように、ロッド２５が回動アーム２６を介して回動されて、摺動溝２８の下端規制部２８ｂに位置され、蓋体１４が完全開放位置に規制保持される。従って、蓋体１４を必要に応じて開放途中の任意の開放状態、あるいは完全開放位置に回動配置して、ボックス本体１１内に対して小物等の収容物を便利に出し入れすることができる。
【００２５】
さらに、蓋体１４を図４に完全開放状態から反時計方向に閉鎖回動させると、前記開放時とほぼ同様に、抵抗付与機構２４のロッド２５が摺動抵抗をともないながら回動アーム２６を介して回動されて、摺動溝２８の抵抗付与部２８ｃに沿って上方に相対移動される。そして、ロッド２５が摺動溝２８の上端規制部２８ａに位置され、蓋体１４が閉鎖位置に規制保持される。このとき、掛止爪１６が掛止部に係合して、蓋体１４が閉鎖位置に掛止保持される。
【００２６】
前記の実施形態によって期待できる効果について、以下に記載する。
・  この実施形態のコンソールボックスにおいては、ボックス本体１１の開口部１２に蓋体１４が開閉回動可能に装着されている。そして、ボックス本体１１と蓋体１４との間には、蓋体１４の開閉回動に対して摩擦によって抵抗を付与するための抵抗付与手段としての抵抗付与機構２４が配設されている。
【００２７】
このため、この実施形態においては、ロッド２５，回動アーム２６及び摺動ダンパ２７を設ければよいだけであり、巻きばねやスリーブ、あるいはスペーサや止めリング等を備えて蓋体を開放方向へ回動付勢するようにした従来構成に比較して、構成が簡単で部品点数を削減することができるとともに、その組み付けを容易に行うことができる。
【００２８】
・  蓋体１４を開放方向へ付勢する巻きばねが設けられていないため、蓋体１４の組付けを、ばね力を利かせた状態で行う必要がなく、組付けが容易である。
・  蓋体１４の開閉回動に対して摩擦による摺動抵抗が付与されため、蓋体１４を閉鎖状態と完全開放状態との途中の開放状態で保持することができ、操作者は、蓋体１４を所要の角度だけ開放して保持することができ、使い勝手のよいものとなる。
【００２９】
・  摺動ダンパ２７が耐磨耗性合成樹脂により形成されるとともに、摺動ダンパ２７の一部にはロッド２５を摺動させるための摺動溝２８が設けられている。そして、その摺動溝２８の中間部にはロッド２５の外径よりも細幅の抵抗付与部２８ｃが形成されている。このため、摺動ダンパ２７の構成が簡単で、製造を容易に行うことができるとともに、蓋体１４の開閉回動に所定の抵抗を適切に長期間にわたって付与することができる。
【００３０】
なお、この実施形態は、次のように変更して具体化することも可能である。
・  抵抗付与手段としての抵抗付与機構２４の構成を適宜に変更して構成すること。例えば、ヒンジ軸２１と固定ヒンジ板１９との間において摩擦による摺動抵抗が作用するように構成すること。
【００３１】
・  摺動ダンパ２７を金属により構成すること。
【図面の簡単な説明】
【図１】コンソールボックスの一実施形態を示す要部断面図。
【図２】蓋体のヒンジ構成を示す斜視図。
【図３】蓋体を開放した状態を示すコンソールボックスの要部断面図。
【図４】蓋体の開放途中の状態を示す要部断面図。
【符号の説明】
１１…ボックス本体、１２…開口部、１４…蓋体、１５…ヒンジ機構、１９…固定ヒンジ板、２０…可動ヒンジ板、２１…ヒンジ軸、２４…抵抗付与手段としての抵抗付与機構、２５…移動部材としてのロッド、２６…回動アーム、２７…摺動ダンパ、２８…摺動溝、２８ｃ…抵抗付与部。
【図１】
0003614012.tif 000002
【図２】
0003614012.tif 000003
【図３】
0003614012.tif 000004
【図４】
0003614012.tif 000005